(57)【要約】【課題】接続部品の数量及び組込作業の工数を抑えつつ、機器への配線が異なる場合においても共通して用いることができるソケットを提供する。【解決手段】リード線が接続される接続面２１，２１…を有する端子台２，２と、端子台２，２が着脱可能に取付けられるソケット本体１とを備えるソケットであって、接続面２１，２１…を一方向又は他方向に向けた状態にて端子台２，２をソケット本体１に取付け可能なように構成してある。制御盤への機器の装着位置に応じた向きに端子台２，２の接続面２１，２１…を向けて端子台２，２をソケット本体１に取付けることによりリード線の接続作業を容易に行うことができるから、機器への配線が異なる場合においてもソケット本体１及び端子台２，２を共通して用いることができる。また、埋込ナット３，３…、ワッシャ５、ネジ６等の接続部品を必要な数量に抑えると共に、接続部品を組込む作業の工数を抑えることができる。【選択図】図１
2011044344.tif 000002
【特許請求の範囲】
【請求項１】
電線が接続される接続面を有する端子台と、該端子台が着脱可能に取付けられるソケット本体とを備えるソケットであって、
前記接続面を一方向又は他方向に向けた状態にて前記端子台を前記ソケット本体に取付け可能なように構成してあることを特徴とするソケット。
【請求項２】
前記ソケット本体及び端子台は相互に係合する係合手段を有していることを特徴とする請求項１に記載のソケット。
【請求項３】
前記端子台は、前記接続面に略直交し、互いに略平行な２つの面を有しており、
前記ソケット本体は、前記接続面がその間に位置するように前記端子台が取付けられる略平行な複数の取付板部を備えており、
前記係合手段は、前記端子台の２つの面に夫々設けられた突起と、該突起が係合するように前記ソケット本体両端の取付板部に設けられた係合穴とを備えてなることを特徴とする請求項２に記載のソケット。
【請求項４】
前記ソケット本体に保持され、その一部が前記接続面に配置されると共に、該一部に前記電線が接続される接続金具を備えており、
前記係合穴は、前記接続面が前記接続金具に関して対称的に配置されうるように設けてあることを特徴とする請求項３に記載のソケット。
【請求項５】
前記ソケット本体は、前記係合穴を有す前記取付板部に略平行な複数の絶縁板を前記取付板部間に備えており、
前記端子台は、前記２つの面に略平行をなし、前記絶縁板が係合する複数の凹溝が設けてあることを特徴とする請求項３又は４に記載のソケット。
【発明の詳細な説明】
【技術分野】
【０００１】
本発明は、制御盤、配電盤等の盤に装着される機器に取付けられ、該機器への配線を行うべく用いられるソケットに関する。
【背景技術】
【０００２】
制御盤、配電盤等の盤に装着される計器、表示器等の機器は、盤の扉又は盤内の装着板に装着される。前記機器は、例えば、表示面等の表示部を表側に有しており、機器の表側が盤の表側に一致するように盤に装着される。盤の扉又は盤内の装着板の何れに装着されるかによって機器への配線が異なる。盤内の装着板に機器が装着される場合は、盤の表側、即ち機器の表側から配線がなされる一方、盤の扉に機器が装着される場合は、扉の裏側、即ち機器の裏側から配線がなされる。このように機器への配線が異なる場合、配線に応じて必要となる電線が接続される端子台の取付位置及び形状が異なるため、機器の装着位置に整合する端子台を機器本体に設ける、又は機器に取付けられる端子台付ソケットを夫々用意する必要がある。
【０００３】
このため、２種類の端子台を用意する必要があり、金型も２種類必要となり、製造、組立及び部品管理が煩雑化するという問題があった。また、機器の装着位置の変更、手配間違い等の発生に応じて端子台を再手配する必要があり、使用者の利便の観点からも好ましくないという問題があった。そこで、機器への配線が異なる場合においても、共通して用いることができるように構成されたソケットが提案されている（例えば、特許文献１参照）。
【０００４】
特許文献１に開示された接続ソケットは、略直方体形状を有し、その一面に設けられたプラグ挿入口を有するソケット本体と、該ソケット本体に回動自在に前記一面に直交する２側面に取付けられたフックとを備えている。この接続ソケットのソケット本体の一面及び該一面の反対側の他面には接続端子が設けてある。この接続ソケットは、フックを電子部品（機器）に係止することにより一面の側にて電子部品に取付けられる。接続ソケットが取付けられた電子部品は、接続ソケット又は該接続ソケットの反対側にて取付パネルに装着されて固定される。電子部品が接続ソケットにて取付パネルに装着される場合は、ソケット本体の一面に設けられた接続端子に電線が接続される。一方、電子部品が該電子部品の接続ソケットの反対側にて扉に装着される場合は、ソケット本体の他面に設けられた接続端子に電線が接続される。このように、特許文献１に係る接続ソケットを用いることにより、電子部品の取付パネルへの装着位置に応じて、ソケット本体の一面又は他面に設けられた接続端子に電線を接続することができる。即ち、電子部品への配線が異なる場合においても、１種類の接続ソケットを共通して用いることができる。
【先行技術文献】
【特許文献】
【０００５】
【特許文献１】実開平１−１２１２８９号公報
【発明の概要】
【発明が解決しようとする課題】
【０００６】
ところが、特許文献１に係る接続ソケットは、ソケット本体の２面に接続端子を夫々設けており、一方の面に設けた接続端子は使用されないから、接続端子、該接続端子とプラグとを接続するリード線等の接続部品及びこれらの接続部品を組込む作業を余分に必要とするという問題がある。
【０００７】
本発明は斯かる事情に鑑みてなされたものであり、接続部品の数量及び組込作業の工数を抑えつつ、機器への配線が異なる場合においても共通して用いることができるソケットを提供することを目的とする。
【課題を解決するための手段】
【０００８】
本発明に係るソケットは、電線が接続される接続面を有する端子台と、該端子台が着脱可能に取付けられるソケット本体とを備えるソケットであって、前記接続面を一方向又は他方向に向けた状態にて前記端子台を前記ソケット本体に取付け可能なように構成してあることを特徴とする。
【０００９】
本発明にあっては、電線が接続される接続面を有する端子台を、該端子台が着脱可能に取付けられるソケット本体に、前記接続面を一方向又は他方向に向けた状態にて取付け可能なように構成してある。例えば、機器がソケットにて盤に装着される場合、電線が接続される接続面がソケットの盤との装着面の反対側を向くように、端子台をソケット本体に取付ける。このように、盤への機器の装着位置に応じた向きに端子台の接続面を向けた状態にて端子台をソケット本体に取付けることにより、端子台の接続面への電線の接続作業を容易に行うことが可能となるから、機器への配線が異なる場合においても共通して用いることができる。また、接続面を端子台の一面に設けてあれば足りるから、接続部品を必要な数量に抑えることができ、接続部品を組込む作業の工数を抑えることができる。
【００１０】
本発明に係るソケットは、前記ソケット本体及び端子台は相互に係合する係合手段を有していることを特徴とする。
【００１１】
本発明にあっては、ソケット本体及び端子台に相互に係合する係合手段を設けているから、端子台をソケット本体に対して着脱することができる。
【００１２】
本発明に係るソケットは、前記端子台は、前記接続面に略直交し、互いに略平行な２つの面を有しており、前記ソケット本体は、前記接続面がその間に位置するように前記端子台が取付けられる略平行な複数の取付板部を備えており、前記係合手段は、前記端子台の２つの面に夫々設けられた突起と、該突起が係合するように前記ソケット本体両端の取付板部に設けられた係合穴とを備えてなることを特徴とする。
【００１３】
本発明にあっては、端子台の接続面に略直交し、互いに略平行な２つの面に夫々設けられた突起と、前記接続面がその間に位置するように端子台が取付けられるソケット本体両端の取付板部に、前記突起が係合するように設けられた係合穴とにより係合手段を構成している。突起及び係合穴を適切に設けることにより、盤への機器の装着位置に応じた向きに端子台の接続面を向けた状態にてソケット本体の係合穴に端子台の突起を係合させるという簡単な動作にて、接続面の向きを機器の装着位置に応じた所望の向きにして端子台をソケット本体に取付けることが可能となる。
【００１４】
本発明に係るソケットは、前記ソケット本体に保持され、その一部が前記接続面に配置されると共に、該一部に前記電線が接続される接続金具を備えており、前記係合穴は、前記接続面が前記接続金具に関して対称的に配置されうるように設けてあることを特徴とする。
【００１５】
本発明にあっては、その一部が接続面に配置されると共に、該一部に電線が接続される接続金具がソケット本体に保持してあり、該接続金具に関して接続面が対称的に配置されうるように係合穴を設けている。この結果、同一の接続金具を用いた簡単な構成により機器と電線との間を接続することができ、接続部品を組込む作業も低減することができる。
【００１６】
前記ソケット本体は、前記係合穴を有す前記取付板部に略平行な複数の絶縁板を前記取付板部間に備えており、前記端子台は、前記２つの面に略平行をなし、前記絶縁板が係合する複数の凹溝が設けてあることを特徴とする。
【００１７】
本発明にあっては、ソケット本体には、取付板部間に該取付板部に略平行をなす複数の絶縁板を設け、端子台には、該端子台の突起が設けられた２つの面に略平行をなし、絶縁板が係合する複数の凹溝を設けている。端子台をソケット本体に取付けたときに、絶縁板が凹溝に係合するから、端子台をソケット本体に安定して取付けることができると共に、端子台に接続される電線間を絶縁することができる。
【発明の効果】
【００１８】
本発明によれば、接続部品の数量及び組込作業の工数を抑えつつ、機器への配線が異なる場合においても共通して用いることができる。
【図面の簡単な説明】
【００１９】
【図１】本発明に係るソケットの模式的分解斜視図である。
【図２】ソケット本体の模式的平面図である。
【図３】ソケット本体の模式的側面図である。
【図４】端子台の模式的平面図である。
【図５】端子台の模式的正面図である。
【図６】本発明に係るソケットが取付けられた機器の模式的外観斜視図である。
【図７】機器が制御盤内の装着板に装着される場合の説明図である。
【図８】機器が制御盤の扉に装着される場合の説明図である。
【図９】他の実施の形態に係るソケットの構成を示す概略図である。
【図１０】他の実施の形態に係るソケットの構成を示す概略図である。
【発明を実施するための形態】
【００２０】
以下、本発明をその実施の形態を示す図面に基づいて、制御盤に装着される機器に取付けられるソケットを例に詳述する。図１は、本発明に係るソケットの模式的分解斜視図である。
【００２１】
本発明に係るソケットは、機器に取付けられるソケット本体１と、該ソケット本体１に着脱可能に取付けられ、電線が接続される接続面を有する端子台２とを備えている。図２は、ソケット本体１の模式的平面図である。図３は、ソケット本体１の模式的側面図である。なお、以下、ソケット本体１の機器との取付側を上側として説明する。
【００２２】
ソケット本体１は、上面に、後述する機器に取付けられるべき矩形状の取付面１１を有している。ソケット本体１の取付面１１に略直交し、互いに略平行な２つの側面１２，１２の両端には、該２つの側面１２，１２及び取付面１１に直交するように突設された取付板部１３，１３が夫々設けてある。取付板部１３，１３夫々には、矩形状をなす２つの係合穴１３ａ，１３ｂが上下に並設してある。
【００２３】
取付板部１３，１３間には、取付板部１３，１３に平行をなし、絶縁性を有する複数（図において、９つずつ）の絶縁板１４，１４…が等配をなして設けてある。絶縁板１４，１４…は、矩形板状を有しており、取付面１１に直交させて、取付板部１３，１３と略同一長さ突設させてある。また、絶縁板１４，１４…は、後述する端子台の凹溝に整合させて上下方向に適長に亘って延設してある。
【００２４】
このようなソケット本体１には、細長い直方体形状を有する端子台２，２が着脱可能に取付けられる。図４は、端子台２の模式的平面図である。図５は、端子台２の模式的正面図である。端子台２の一側には、電線であるリード線が接続される複数（図において１０個）の接続面２１，２１…が形成してある。この接続面２１，２１…夫々の端子台２の長手方向の略中央には、図示の如く、該接続面２１，２１…に略直交するように埋込ナット３，３…が設けてある。
【００２５】
端子台２の両端面２２，２２の略中央には、ソケット本体１の取付板部１３，１３に設けられた矩形穴１３ａ，１３ａ又は矩形穴１３ｂ，１３ｂに係合する係合突起２３，２３が夫々設けてある。
【００２６】
端子台２の接続面２１，２１…と同じ側には、複数（図において９つ）の凹溝２４，２４…が、両端面２２，２２に略平行に設けてある。凹溝２４，２４…は、隣接する埋込ナット３，３…間の中央に夫々位置するように、端子台２の接続面２１，２１…に直交する方向に略中央まで形成してある。なお、凹溝２４，２４…の溝幅は、ソケット本体１の絶縁板１４，１４…の板厚と略同一に形成してある。
【００２７】
本発明に係るソケットは、この端子台２，２を、図１に示すように、端子台２，２の接続面２１，２１…を上方向又は下方向に向けた状態にて、ソケット本体１の取付板部１３，１３間に夫々挿入し、ソケット本体１の係合穴１３ｂ，１３ｂ又は係合穴１３ａ，１３ａに端子台２，２の係合突起２３，２３を係合する。
【００２８】
このように端子台２，２が係合により着脱可能に取付けられるソケット本体１には、接続金具４，４…が保持してある。接続金具４は、取付板部１３，１３及び絶縁板１４，１４…に直交し、絶縁板１４，１４の上下方向の略中央に位置するようにソケット本体１に取付けてある。ソケット本体１に設けられた係合穴１３ａ，１３ａ及び係合穴１３ｂ，１３ｂは、接続金具４，４…の保持位置に関して対称になるように設けてある。これにより、端子台２，２の接続面２１，２１…を上方向又は下方向に向けた状態にて端子台２，２をソケット本体１に取付けたときに、端子台２，２の接続面２１，２１…が接続金具４，４…に関して対称に配置されることになる。
【００２９】
以上のように構成された本発明に係るソケットは、制御盤に装着される機器に取付けられる。図６は、本発明に係るソケットが取付けられた機器１００の模式的外観斜視図である。なお、機器１００は、例えば、計器、表示器等であり、機器本体を内部に収容するケースにソケットが取付けられて一体化されるように構成してある。
【００３０】
略直方体の外形を有する機器１００は、フランジ１０２が周設してある。この機器１００には、周壁１０３の開口端にソケットをソケット本体１の取付面１１の側から挿入し、ソケットが取付けられる。
【００３１】
端子台２，２の接続面２１，２１…には、ソケット本体１に保持された接続金具４，４…、外部の他の機器にその一端が接続される電線であるリード線１１０の他端及びワッシャ５，５…が配置され、ネジ６，６…を埋込ナット３，３…に螺合することにより、リード線１１０が接続される。接続金具４，４…にはリード線（図示せず）の一端が接続してある。なお、図６においては、リード線１１０を一本のみ記載し、それ以外は省略しているが、リード線は入出力の信号数に応じて適切に接続される。
【００３２】
ソケット本体１の取付板部１３，１３には、端子台２，２の接続面２１，２１…の側を覆うように矩形板状のカバー７，７が取付けてある。カバー７には、取付板部１３，１３に取付けた状態において埋込ナット３，３…に整合する位置に、複数（図において９つ）の貫通孔７１，７１…が設けてある。
【００３３】
カバー７の両端面には、端子台２と同様に、ソケット本体１の取付板部１３，１３に設けられた係合穴１３ａ，１３ａ又は係合穴１３ｂ，１３ｂに係合する係合突起７３，７３が夫々設けてある。また、カバー７の一側には、複数（図において９つ）の凹溝７２，７２…が、両端面に略平行に設けてある。凹溝７２，７２…は、隣接する貫通孔７１，７１…間の中央に夫々位置するように形成してある。なお、凹溝７２，７２…の溝幅は、ソケット本体１の絶縁板１４，１４…の板厚と略同一に形成してある。このカバー７，７は、凹溝７２，７２…が設けられた一側からソケット本体１の取付板部１３，１３間に夫々挿入し、ソケット本体１の係合穴１３ａ，１３ａ又は係合穴１３ｂ，１３ｂにカバー７，７の係合突起７３，７３を係合することによりソケット本体１に取付けてある。
【００３４】
以上のようにソケットが取付けられた機器１００は、制御盤の扉又は制御盤内の装着板に、フランジ１０２の側が制御盤の表側になるように装着される。図７は、機器１００が制御盤内の装着板２００に装着される場合の説明図である。図８は、機器１００が制御盤の扉２０１に装着される場合の説明図である。
【００３５】
機器１００が制御盤内の装着板２００に装着される場合、端子台２，２は、図７中に白抜き矢符にて示すように、接続面２１，２１…を一方向（ソケット本体１の上側）に向けた状態にて、ソケット本体１の取付板部１３，１３間に挿入して取付けられる。このように端子台２，２をソケット本体１に取付けることにより、装着板２００に機器１００を装着した状態において、端子台２，２の接続面２１，２１…は装着板２００の反対側を向くことになる。
【００３６】
この後、前述した如く、端子台２，２の接続面２１，２１…に、ソケット本体１に保持された接続金具４，４…を介して、リード線１１０の他端及びワッシャ５，５…を配置して、ネジ６，６…を埋込ナット３，３…に螺合することにより、配線が行われる。この配線作業を行うべく、作業者がドライバー３００を端子台２，２の接続面２１，２１…の側、換言すると機器１００の表側から挿入し、ドライバー３００の先端部をネジ６のネジ頭に嵌合させて、回転させるときに、図示の如く、端子台２，２の接続面２１，２１…の側に十分なスペースを確保することができるから、端子台２，２の接続面２１，２１…への電線１１０の接続作業を容易に行うことができる。
【００３７】
一方、機器１００が制御盤の扉２０１に装着される場合、機器１００はフランジ１０２にて扉２０１に装着される。このとき、端子台２，２は、図８中に白抜き矢符にて示すように、接続面２１，２１…を他方向（ソケット本体１の下側）に向けた状態にて、ソケット本体１の取付板部１３，１３間に挿入して取付けられる。このように端子台２，２をソケット本体１に取付けることにより、扉２０１に機器１００を装着した状態において、端子台２，２の接続面２１，２１…は扉２０１の反対側を向くことになる。
【００３８】
この後、前述した如く、端子台２，２の接続面２１，２１…に、ソケット本体１に保持された接続金具４，４…を介して、リード線１１０の他端及びワッシャ５，５…を配置して、ネジ６，６…を埋込ナット３，３…に螺合することにより、配線が行われる。この配線作業を行うべく、作業者がドライバー３００を端子台２，２の接続面２１，２１…の側から挿入し、ドライバー３００の先端部をネジ６のネジ頭に嵌合させて、回転させるときに、図示の如く、端子台２，２の接続面２１，２１…の側に十分なスペースを確保することができるから、端子台２，２の接続面２１，２１…への電線１１０の接続作業を容易に行うことができる。
【００３９】
以上のように、制御盤への機器１００の装着位置に応じた向きに端子台２，２の接続面２１，２１…を向けた状態にて端子台２，２をソケット本体１に取付けることにより、端子台２，２の接続面２１，２１…へのリード線１１０の接続作業を容易に行うことが可能となるから、機器１００への配線が異なる場合においてもソケット本体１及び端子台２，２を共通して用いることができる。また、接続面２１，２１…を端子台２，２の一面に設けてあれば足りるから、埋込ナット、ワッシャ、ネジ等の接続部品を必要な数量に抑えることができ、接続部品を組込む作業の工数を抑えることができる。
【００４０】
また、端子台２，２の接続面２１，２１…に略直交する両端面２２，２２に夫々設けられた係合突起２３，２３と、接続面２１，２１…がその間に位置するように端子台２，２が取付けられるソケット本体１の取付板部１３，１３に、係合突起２３，２３が係合するように設けられた係合穴１３ａ，１３ｂ…とにより係合手段を構成している。制御盤への機器１００の装着位置に応じた向き（上向き又は下向き）に端子台２，２の接続面２１，２１…を向けた状態にてソケット本体１の係合穴１３ａ，１３ａ又は係合穴１３ｂ，１３ｂに端子台２，２の係合突起２３，２３を係合させるという簡単な動作にて、接続面２１，２１…の向きを機器１００の装着位置に応じた所望の向きにして端子台２，２をソケット本体１に取付けることができる。
【００４１】
端子台２，２の接続面２１，２１…を上方向又は下方向に向けた状態にて端子台２，２をソケット本体１に取付けたときに、前述した如く、端子台２，２の接続面２１，２１…が接続金具４，４…に関して対称に配置されるように、係合穴１３ａ，１３ａ及び係合穴１３ｂ，１３ｂを設けているから、同一の接続金具４，４…を用いた簡単な構成により機器１００とリード線１１０との間を接続することができ、接続部品を組込む作業も低減することができる。
【００４２】
ソケット本体１の取付板部１３，１３間に該取付板部１３，１３に略平行をなす複数の絶縁板１４，１４…を設け、端子台２，２の係合突起２３，２３が設けられた端面２２，２２に略平行な複数の凹溝２４，２４…を設けている。端子台２，２をソケット本体１に取付けたときに、絶縁板１４，１４…が凹溝２４，２４…に係合するから、端子台２，２をソケット本体１に安定して取付けることができると共に、端子台２，２に接続されるリード線１１０間を絶縁することができる。
【００４３】
なお、本実施の形態においては、複数の接続面を有する端子台を用いているが、これに限定されず、接続面を一つのみ有する端子台を複数用いるように構成してもよい。図９及び図１０は、他の実施の形態に係るソケットの構成を示す概略図である。
【００４４】
他の実施の形態に係るソケットは、ソケット本体１ａと、該ソケット本体１ａに着脱可能に取付けられる複数の端子台２ａ，２ａ…とを備えてなる。ソケット本体１ａの互いに略平行な２つの側面には、取付板部としての複数の絶縁板１４ａ，１４ａ…が等配をなして設けてある。絶縁板１４ａ，１４ａ…は、矩形板状を有しており、前記２つの側面及び取付面に直交させて突設させてある。絶縁板１４ａ，１４ａ…には、端子台２ａ，２ａ…に設けられた係合突起２１，２１…が係合する係合凹部（図示せず）が夫々設けてある。ソケット本体１ａのその他の構成は、前述したソケット本体１の構成と同様であるため、説明は省略する。
【００４５】
端子台２ａは、一面に埋込ナット３が設けられた接続面２１と、該接続面２１に直交する平行な２側面に設けられた係合突起２３，２３とを有している。
【００４６】
このように構成したソケットにおいても、図９及び図１０に示す如く、端子台２ａ，２ａ…の接続面２１，２１…を上方向又は下方向に向けた状態にて（制御盤への機器の装着位置に応じた向きに端子台２ａ，２ａ…の接続面２１，２１…を向けた状態にて）、端子台２ａ，２ａ…をソケット本体１ａに取付けることができる。これにより、端子台２ａ，２ａ…の接続面２１，２１…へのリード線の接続作業を容易に行うことが可能となるから、機器への配線が異なる場合においてもソケット本体１ａ及び端子台２ａ，２ａ…を共通して用いることができる。また、接続面２１，２１…を端子台２ａ，２ａ…の一面に設けてあれば足りるから、埋込ナット、ワッシャ、ネジ等の接続部品を必要な数量に抑えることができ、接続部品を組込む作業の工数を抑えることができる。
【００４７】
なお、以上の実施の形態においては、端子台の接続面の向きを一方向又は他方向として、ソケット本体の上方向又は下方向に向けて端子台をソケット本体に取付けるように構成してあるが、端子台の接続面の向きは、これに限定されない。例えば、接続面がソケット本体の上下方向と９０°異なる方向を向くように端子台をソケット本体に取付け可能なように構成してもよい。
【００４８】
また、以上の実施の形態において、端子台は、直方体形状を有しており、両端面に係合突起が設けてあるが、端子台の形状、係合突起の位置はこれに限定されない。端子台は、接続面がソケット本体の取付板部間に位置するように構成してあればよく、係合突起の位置も取付板部の係合穴に係合可能な位置であればよい。
【００４９】
また、以上の実施の形態においては、係合突起と係合穴とにより係合手段を構成しているが、これに限定されないのは言うまでもない。
【００５０】
更に、本発明は、その他、特許請求の範囲に記載した事項の範囲内において種々変更した形態にて実施することが可能であることは言うまでもない。
【符号の説明】
【００５１】
１，１ａ  ソケット本体
１３  取付板部
１３ａ，１３ｂ  係合穴（係合手段）
１４  絶縁板
１４ａ  絶縁板（取付板部）
２，２ａ  端子台
２１  接続面
２２  両端面（２つの面）
２３  係合突起（突起，係合手段）
２４  凹溝
４  接続金具
１１０  リード線（電線）
【図１】
2011044344.tif 000003
【図２】
2011044344.tif 000004
【図３】
2011044344.tif 000005
【図４】
2011044344.tif 000006
【図５】
2011044344.tif 000007
【図６】
2011044344.tif 000008
【図７】
2011044344.tif 000009
【図８】
2011044344.tif 000010
【図９】
2011044344.tif 000011
【図１０】
2011044344.tif 000012